(57)【要約】      （修正有）【課題】薬の服用を管理し、服用忘れや二重服用を防止するとともに、用具の製造コストが低く、また使用が簡単な薬の服用管理方法を提供する。【解決手段】厚紙等の台紙１上の互いに反対方向に傾斜した保持スリット部６ａ、６ｂを形成したカレンダー白紙台紙に、処方箋に対応した服用日時の表示３をプリントし、この台紙の保持スリット部６ａ、６ｂに分割したＰＴＰシート７を保持させ、プリントした表示に従って薬を服用する。【選択図】図４
2007282822.tif 000002
【特許請求の範囲】
【請求項１】
弾性を有するシート材からなる台紙に分離された薬のプッシュスルーパッケージの両側隅部を挟持する互いに反対方向に傾斜した少なくとも一対の保持スリット部を形成したカレンダー台紙を用いて薬の服用を管理する方法であって、少なくとも薬の服用日時を表示していない白紙のカレンダー台紙を用意する過程と、処方箋に対応して上記の保持スリット部に対応した部分に服用日時をプリントする過程と、分離されたプッシュスルーパッケージを上記のプリントされたカレンダー台紙の服用日時に対応した保持スリットに差し込んで保持させる過程と、上記の服用日時に従って薬を服用する過程とを具備したことを特徴とする薬の服用管理方法。
【請求項２】
前記の服用日時をプリントする過程は、薬の服用日付と、薬の服用時刻とをプリントすることを特徴とする請求項１の薬の服用管理方法。
【請求項３】
前記の服用日時をプリントする過程は、薬の服用日時とともに、前記の保持スリット部の近傍にその保持スリット部に保持させるべき薬剤名を同時にプリントすることを特徴とする請求項１の薬の服用管理方法。
【請求項４】
前記の服用日時に従って薬を服用する過程は、服用後の空のプッシュスルーパッケージを元の保持スリット部に戻して保持させる過程を含み、またカレンダー台紙に残った空のプッシュスルーパッケージにより薬の服用状況を確認する過程を含むことを特徴とする請求項１の薬の服用管理方法。
【発明の詳細な説明】
【技術分野】
【０００１】
本発明は、薬の服用を管理する方法であって、さらに特定すれば分離された薬のプッシュスルーパッケージを保持する保持スリット部を備えたカレンダー台紙を用いて薬の服用を確実に管理する方法に関する。
【背景技術】
【０００２】
一般に、医療機関から処方される薬は、毎日、または所定時間ごとに服用日時を指定して処方される場合が多い。しかし、長い期間にわたって薬を服用するような場合に、薬の服用を忘れたり、また服用したことを忘れて二重に服用することがある。このような薬の服用忘れ、または二重服用は服用者に悪影響を与えるので、これを防止する各種の器具が開発されているが、構造が複雑でコスト高であり、また使用に際して操作、取り扱いが煩雑なものが多く、低いコストで簡単に製造可能なものが要望されている。
【０００３】
例えば、特許文献１には、カレンダー状の台紙に日付に対応して複数の袋状の薬収納部を設け、これらの薬収納部に薬を収容しておき、薬の服用忘れや二重服用を防止するものがある。しかし、このようなものは、やはり製造にコストが掛かり、また使用の際の手間が煩雑である。
【０００４】
また、特許文献２に示すものは、カレンダーの表面に粘着層を形成し、ここにメモ等を貼り付け保持させるものである。このものは、このカレンダーの日付に対応して薬を貼り付けておけば、薬の服用忘れ、二重服用は防止できると思われるが、粘着層を形成するにはコストが掛かる。
【０００５】
また、特許文献３に示すものは、ＰＴＰシートを収容できる折り畳み形の台紙を備え、この台紙にＰＴＰシートの錠剤収容部に対応して日付等を表示したものである。
しかし、このものは、製造にコストが掛かるとともに、日付の表示が一日目、二日目、としか表示できず、何日目かを忘れてしまえば、服用忘れ、二重服用を確実に防止することはできない。
【０００６】
これらの問題を解決するために、本発明者は、先に特願２００６‐０２８６１８として出願した薬の服用管理具を提案した。このものは、厚手の紙等に反対方向に傾斜した対をなすスリットを形成し、ここを保持スリット部とし、この保持スリット部に分離した薬のプッシュスルーパッケージ包装（ＰＴＰシート）の下隅部を差し込んで挟持させ、またこれらの保持スリット部に対応してその薬を服用する日時を表示した薬の服用管理カレンダー形式のものである。
【０００７】
このような薬の服用管理カレンダーは、構造が簡単で、低コストで製造できるが、このようなカレンダーを用いても、この服用管理カレンダーの使用および薬の服用は患者（服用者）の判断によらざるを得ない。
【０００８】
このため、ＰＴＰシートを差し込む位置を間違えたり、差込み忘れたりする等、誤用の可能性がある。特に、このようなカレンダーをすべての患者に共通した汎用型に形成すると、上述のような誤用が発生しやすい。したがって、可能な限り服用者の誤用を防止する必要がある。
【特許文献１】特開２００１−２５８９９９号公報
【特許文献２】実開昭６４−２７２６４号公報
【特許文献３】特開２００１−７０４０４号公報
【発明の開示】
【発明が解決しようとする課題】
【０００９】
本発明は以上の事情に基づいてなされたもので、ＰＴＰシートを差し込んで保持可能な保持スリット部を備えた薬の服用管理カレンダーを用いて、薬の服用忘れや二重服用、または誤用を確実に防止できる薬の服用管理方法を提供するものである。
【課題を解決するための手段】
【００１０】
請求項１に記載の本発明は、弾性を有するシート材からなる台紙に分離された薬のプッシュスルーパッケージの両側隅部を挟持する互いに反対方向に傾斜した少なくとも一対の保持スリット部を形成したカレンダー台紙を用いて薬の服用を管理する方法であって、少なくとも薬の服用日時を表示していない白紙のカレンダー台紙を用意する過程と、処方箋に対応して上記の保持スリット部に対応した部分に服用日時をプリントする過程と、分離されたプッシュスルーパッケージを上記のプリントされたカレンダー台紙の服用日時に対応した保持スリットに差し込んで保持させる過程と、上記の服用日時に従って薬を服用する過程とを具備したものである。
【００１１】
請求項２に記載の本発明は、前記の服用日時をプリントする過程は、薬の服用日付と、薬の服用時刻とをプリントすることを特徴とするものである。
【００１２】
請求項３に記載の本発明は、前記の服用日時をプリントする過程は、薬の服用日時とともに、前記の保持スリット部の近傍にその保持スリット部に保持させるべき薬剤名を同時にプリントすることを特徴とするものである。
【００１３】
請求項４に記載の本発明は、前記の服用日時に従って薬を服用する過程は、服用後の空のプッシュスルーパッケージを元の保持スリット部に戻して保持させる過程を含み、またカレンダー台紙に残った空のプッシュスルーパッケージにより薬の服用状況を確認する過程を含むことを特徴とするものである。
【発明の効果】
【００１４】
請求項１に記載の本発明は、少なくとも薬の服用日時を表示していない白紙のカレンダー台紙を用意するとともに、処方箋に対応して上記の保持スリット部に対応した部分に服用日時をプリントするものである。したがって、薬の服用日数、一日に服用する錠数、等がそれぞれ処方箋に対応した個々の患者専用のカレンダー台紙が形成される。そして、この個々の患者専用のカレンダー台紙の保持スリット部に、分離されたプッシュスルーパッケージを上記のプリントに対応して保持させ、上記の服用日時の表示に従って薬を服用するので、誤用、服用忘れ、二重服用等が確実に防止され、薬の服用を確実に管理することができる。
【００１５】
請求項２に記載の本発明は、前記の服用日時をプリントする過程において、薬の服用日付と、薬の服用時刻とをプリントすることを特徴とするものである。したがって、服用の日付だけでなく、処方箋に対応して朝食前、朝食後、夕食前、ねる前、等の服用時刻が、そこに保持されるべきＰＴＰシートに対応して具体的に表示されるので、差込み間違い、差込み忘れ等の誤用、服用忘れ、二重服用等が確実に防止される。
【００１６】
請求項３に記載の本発明は、前記の服用日時をプリントする過程において、薬の服用日時とともに、前記の保持スリット部の近傍にその保持スリット部に保持させるべき薬剤名を同時にプリントすることができるものである。したがって、どの保持スリット部にどの薬剤を保持させるべきかが具体的に表示され、分割したＰＴＰシートを間違った位置に保持させてしまうことがなく、誤用が確実に防止される。
【００１７】
請求項４に記載の本発明は、前記の服用日時に従って薬を服用するとともに、服用後の空のプッシュスルーパッケージを元の保持スリット部に戻して保持させておき、後にカレンダー台紙に残った空のプッシュスルーパッケージにより薬の服用状況を確認するものである。したがって、服用後においても、飲み忘れ等の服用状況を把握することができ、医師に報告して影響等を評価してもらうことが可能であり、薬の服用をより厳密に管理することができる。
【発明を実施するための最良の形態】
【００１８】
以下、図を参照して本発明の実施形態を説明する。まず、図１ないし図１２を参照して本発明に用いる薬の服用管理具すなわち服用管理カレンダー台紙の構成を説明する。
【００１９】
図１ないし図４にはこのカレンダー台紙の第１の実施形態を説明する。この実施形態のものは、２錠分ずつに切り離されたＰＴＰシートを保持するものである。
【００２０】
図中の１は台紙であって、この台紙１は弾性を有するシート材、例えばある程度の腰のある厚紙、プラスチックシート、その他の材料で形成されている。そして、この台紙１の上部中央には掛け孔２が形成され、フック等に引っ掛けて吊り下げられるように構成されている。
【００２１】
また、この台紙１には、日時表示部３が形成されている。この実施形態の場合には、この日時表示部３は８個あり、横方向に配列されている。この実施形態の場合には、この日時表示部には暦日、すなわち月、日および曜日が印刷される。そして、これらの日時表示部は、格子状の枠線４で囲まれ、各日時表示部３と、これらに対応してＰＴＰシートを保持すべき部分である保持部５とが明確に関連付けられている。
【００２２】
そして、各日時表示部３の下方に対応した枠線４内の保持部５には、対をなす保持スリット部６ａ、６ｂが形成されている。この実施形態の場合には、保持スリット部６ａ、６ｂは上下方向に並んだ５対のものが形成されており、５個のＰＴＰシートが保持可能となっている。そして、この実施形態の場合、対をなす保持スリット部６ａ、６ｂは、隣接する２つの保持部５にまたがって形成されている。
【００２３】
上記の保持スリット部６ａ、６ｂは、図２に示すように、互いに反対方向に傾斜した直線状の切り込みであり、互いに上方に広がった谷状に配置されている。そして、図３に示すように、２錠ずつに分割されたＰＴＰシート７の凸状の錠剤収容部９の周囲に形成される薄板状の部分９の両側下隅部が、これら保持スリット部６ａ、６ｂ内に差し込まれる。これによって、このＰＴＰシート７は、この保持部５に保持される。このＰＴＰシート７は、台紙１の弾性によって両側を挟持され、台紙１を逆さにして振っても脱落しない。また、これら対をなす保持スリット部６ａ、６ｂは互いに反対方向に傾斜した谷状に配置されているので、分離したＰＴＰシート７の寸法が各種相違していても支障なく挿入することができる。
【００２４】
また、この台紙１の余白を利用して、この薬の服用管理具の名称１０、年の表示１１、薬の服用に関する注意事項等の表示１２、この薬の服用管理具を調剤薬局で薬とともに配布する場合には薬局名等の表示１３が印刷される。また、各対をなす保持スリット部６ａ，６ｂの一部または全部の部分には、ＰＴＰシートの差し込み方を示すために、ＰＴＰシートを差し込んだ状態を模した絵柄１４が印刷されている。
【００２５】
この薬の服用管理具を使用する場合には、ＰＴＰシートをミシン目に沿って２錠分ずつに分割し、この分割したＰＴＰシート７を図４に示すように、服用日時に対応するように上記の保持スリット部６ａ、６ｂに差し込んで保持させる。一日に服用すべき薬の数が複数の場合でも、最大５個のＰＴＰシートまで保持できる。この２錠ずつに分割されたＰＴＰシート７は隣接する２つの保持部５すなわち２日分の保持部５にわたって保持される。したがって、この２錠分に分割されたＰＴＰシート７の２つの錠剤収容部９はそれぞれ２つの日時表示部３に対応した保持部５に位置する。
【００２６】
よって、ＰＴＰシート７を保持させたこの薬の服用管理具を壁等に掛けておけば、その日に服用すべき薬、あるいはその日に服用すべき薬が服用されているか、まだ服用されていないか、等が一目瞭然となる。したがって、薬の服用忘れ、二重服用が確実に防止される。
【００２７】
この実施形態のものは、持ち運びの便宜のため、台紙１の寸法を小さく設定してあり、８日分の薬しか保持できないが、８日分以上の薬を服用する場合には、日付の連続した複数枚の服用管理具を用意しておき、これらにＰＴＰシートを保持させ、壁等に重ねて掛けておけばよい。
【００２８】
なお、前述のように、ＰＴＰシートを１錠ずつに切り離すと、高齢者等ではこのＰＴＰシート包装ごと飲み込んでしまう誤飲の例があり、これを防止するため、最近のＰＴＰシートでは２錠ずつにしか切り離せないようにミシン目を入れている。よって、この薬の服用管理具を用いれば、鋏などを使用せずに、ＰＴＰシートを手のみでミシン目に沿って２錠分ずつに分割し、この薬の服用管理具に差し込んで服用を管理できるので、簡単に使用することができる。また、ＰＴＰシートを１錠ずつに細かく切断した場合には、この保持スリット部６ａ、６ｂの片側にしか挿入できないので、保持が不安定で使用できない。このようにして、高齢者等の場合でもこの薬の服用管理具を使用することによって、ＰＴＰシートを２錠ずつに分割する習慣がつけば、上述のような誤飲を防止することができる。
【００２９】
また、空になったＰＴＰシートを捨てずにこの薬の服用管理具に差し込んでおけば、過去の服用の状態が一目で判別でき、また後に空のＰＴＰシートをプラスチックごみとして一括して分別廃棄するのに便利である。
【００３０】
また、図５ないし図７にはこのカレンダー台紙の第２の実施形態を示す。この実施形態のものは、１錠ずつに分離したＰＴＰシート７を保持させるもので、一週間分すなわち７個の日時表示部３、枠線４、保持部５等を備え、これらの構成その他は前記の第１の実施形態のものと同様で、対応する部分には同じ符号を付してその説明は省略する。
【００３１】
この実施形態のものは、各日時表示部３に対応した各保持部５内にそれぞれ対をなす保持スリット部２６ａ、２６ｂが形成されている。これらの保持スリット部２６ａ、２６ｂは前述の実施形態と同様に、互いに反対方向に傾斜した上方に開いた谷状に配置された切込みである。この保持スリット部２６ａ、２６ｂの間隔は、図６に示すように、１錠ずつに分割されたＰＴＰシート１７の両側下隅部を差し込んで挟持して保持するように構成されている。これらの保持スリット部２６ａ、２６ｂは、一日分の保持部５に上下方向に５対形成されており、一日分で最大５個の分割されたＰＴＰシート１７を保持できるように構成されている。
【００３２】
この実施形態のものは、ＰＴＰシートを１錠ずつに切断し、切断した各ＰＴＰシートを図７に示すように各日時表示部３の各保持部５ごとに１個ずつ挟んで保持させる。各日付ごとに１個ずつのＰＴＰシート１７が保持されるので、薬の服用をより明確に管理することができる。また、例えば毎日服用する薬と、隔日に服用する薬を併用する場合等、変則的な服用の場合にも便利である。
【００３３】
また、図８にはカレンダー台紙の第３の実施形態を示す。このものは、日時表示部３３が空欄となっている他は、前述の第２または第１の実施形態と同様の構成であり、第２および第１の実施形態と同様な部分には同じ符号を付してその説明を省略する。
【００３４】
この第３の実施形態のものは、この空欄の日時表示部３３に後から日時等を印字または記入して使用する。例えば、その薬の服用開始日から始まった日時をこの日時表示部３３に印字または記入すれば、すべての保持部５が無駄なく使用でき、経済的である。また、所定時間ごとに服用する薬の場合には、服用すべき日付と時刻を計算してこの日時表示部３３に印字または記入すれば、薬の服用を確実に管理できる。
【００３５】
また、図９および図１０にはカレンダー台紙の第４の実施形態を示す。このものは、前述の保持スリット部を単なる切込みではなく、図示するように、ある幅を持った細長い隙間状の保持スリット部４６ａ、４６ｂとしたものである。このものは、前述の実施形態のものと同様に、図１０のようにＰＴＰシート７の両側下隅部をこれらの保持スリット部４６ａ、４６ｂに差し込んで挟持する。この場合に、これらの保持スリット部４６ａ、４６ｂが隙間状であるので、ＰＴＰシート７の両側下隅部を挿入するのが容易である。
【００３６】
さらに、図１１にはカレンダー台紙の第５の実施形態を示す。このものは、近接した２本ずつのスリットが対をなし、４本の保持スリット部５６ａ，５６ｂ，５６ｃ，５６ｄ、が対を構成している。このものは、切断した各種ＰＴＰシートの幅の変化が大きい場合でも挿入可能である。
【００３７】
また、図１２にはカレンダー台紙の第６の実施形態を示す。このものは、一対の保持スリット部６６ａ，６６ｂの下端部が互いに水平のスリット６６ｃにより連結されているもので、これらのスリット６６ａ，６６ｂ，６６ｃは全体としてＵ字状をなしている。このものは、ＰＴＰシート２７の錠剤収容部９がスリット６６ｃに当たるまで深く挿入でき、上下に隣接して保持されるＰＴＰシート２７の間隔を狭くでき、これらのＰＴＰシートの保持に要する面積を小さくできる。
【００３８】
なお、上記の第４ないし第６の実施形態は、前述した部分のほかは前記の第１ないし第３の実施形態と同様の構成であり、これらと同じ部分には同じ符号を付してその説明は省略する。
【００３９】
さらに、このカレンダー台紙は上述の各実施形態には限定されない。例えば、日時表示部および保持部等の数は８または７には限定されず、任意の数でも良く、またその配列も横一列に限らず、縦方向に配列しても良く、さらに複数段、複数列に配列しても良い。また、各対をなす保持スリット部の近傍に例えば朝、昼、夕、食前、食後等の服用態様の表示を印刷、印字、または記入しても良い。
【００４０】
また、保持スリット部の形状も上記のものには限定されず、例えば直線状でなく曲線状でも良い。また、台紙は折り畳むように構成してもよい。また、複数枚の台紙をカレンダー帳のように綴り合わせても良い。また、保持スリット部を左右対称に配置した場合に、台紙の裏面にも日時表示部や保持部等を印刷しても良い。
【００４１】
また、台紙の形状等は上記のような矩形に限定されず、台形、円形、楕円形その他の形状でも良い。また、日時表示部と保持部との関連付けの構成は、上記のように枠線で囲むものには限定されず、例えば色分け、模様による関連付け、あるいは単なる位置関係で関連付けても良い。
【００４２】
次に、上述のような薬の服用管理カレンダーを用いた薬の服用管理方法の実施形態を図１３ないし図１５を参照して説明する。この実施形態は、薬の処方とともに、この服用管理カレンダーを薬剤師（調剤薬局）を介して患者に手渡す場合のものである。
【００４３】
まず、図１３に示すような白紙のカレンダー台紙７１を用意する。この白紙のカレンダー台紙７１は、厚手の弾力のある紙または合成紙等で形成され、インクジェットプリンタ等のプリンタにより印字可能な紙が選択される。そして、このカレンダー台紙７１には、所定の位置に前述したような保持スリット部６ａ、６ｂが形成されている。また、前述した掛け孔２も形成されている。この白紙のカレンダー台紙７１は、調剤薬局等にあらかじめ用意されている。
【００４４】
次に、患者（薬の服用者）は医師から渡された薬の処方箋を図１６のｓｔ１に示す過程で調剤薬局すなわち薬剤師に手渡す。次に過程ｓｔ２において、薬剤師はその処方箋に基づいて調剤を行うとともに、その薬の服用情報すなわちその薬の薬剤名や服用開始日、朝食前、夕食後等の服用時刻、患者の氏名等をパソコンのキーボードに入力する。
【００４５】
このパソコンのメモリには、上記の白紙のカレンダー台紙７１にプリントすべきプリントパターンがあらかじめ入力されている。このプリントパターンは、例えば図１４に示すようなもので、前述したような枠線４、このカレンダーの名称の表示１０、年の表示１１、薬局名の表示１３、薬の絵柄１４等の共通事項が入力されている。また、前述の保持スリット部６ａ、６ｂは、細いスリットであるので、そのままではスリットの位置が判別しにくいので、その上からスリット表示線７５をプリントするようなパターンも入力されている。
【００４６】
また、このメモリには、前述したような処方箋に対応した表示パターンをプリントするようなプログラムが入力されている。このパターンは、その薬を服用する患者の氏名等の表示７２、薬を服用する日付の表示７３、朝食前、朝食後、夕食前、ねる前、等の服用時刻の表示７５、これらに対応した服用すべき薬の薬剤名の表示７４等があらかじめプログラムされている。上記の日付の表示７３は日時表示部に、また服用時刻の表示７５、薬剤名の表示７４は、各保持スリット部６ａ、６ｂの近傍にプリントされる。なお、これらの表示は、各表示ごとに入力する必要はなく、例えば日付の表示７３は服用開始日と服用期間を入力すればその期間中の日付が自動的にプリントされ、また服用時刻の表示７５、服用薬剤名の表示７４は、薬剤名とその服用時刻を入力すれば、各保持スリット部の近傍に自動的にプリントされるようにプログラムされている。
【００４７】
また、これと同時に、処方した薬剤名、患者の氏名、服用期間、服用時刻等の情報がこのパソコンのメモリに入力され、各患者ごとの投薬記録として保存される。
【００４８】
このようにして設定されたプリントパターンを用いて、過程ｓｔ３において図１３に示すようなカレンダー台紙７１の上にインクジェットプリンタ等のプリンタによってプリントし、図１４に示すような薬の服用カレンダーを作成し、これを薬とともに患者すなわち服用者に手渡す。この場合に、薬剤師は患者に薬の種類等を口頭または文書で説明し、患者はそれに従って各保持スリット部６ａ、６ｂに表示された薬のＰＴＰシートを２錠ずつに分割して保持させる。なお、患者が高齢者等の場合等、上述の作業ができないような場合には、過程ｓｔ４に示すように、薬剤師が分割したＰＴＰシートを所定の保持スリット部に挿入保持させてから患者に手渡してもよい。
【００４９】
そして、患者は、過程ｓｔ５において、この服用カレンダーに表示されている通り薬を服用し、一錠のみ服用したＰＴＰシートは元の位置に保持させておく。このＰＴＰシートを保持させた服用カレンダーを壁に掛けておくか、または適当なホルダーに保持させて見やすい箇所に置いておけば、どの日付のどの時刻までの薬を服用したかが一目瞭然であるので、服用忘れや二重服用が確実に防止される。
【００５０】
この場合、２錠ずつに分割したＰＴＰシートの２錠分を服用した後も、空になったＰＴＰシートを廃棄せず、元の保持スリット部に挿入して保持させておく。なお、薬を飲み忘れた場合には、飲み忘れた錠剤をそのままにして元の保持スリット部に差し込んで保持させておく。
【００５１】
そして、すべての薬を服用した後は、空のＰＴＰシートを保持させたままこの服用カレンダー台紙を調剤薬局すなわち薬剤師に戻す。この時点で過程ｓｔ６に示すように薬剤師は服用状況を確認する。この服用状況は、飲み忘れ、薬（ＰＴＰシート）の入れ違い、その他の情報がこの戻された服用カレンダーに残されているので、この患者が正しく薬を服用したか、または正しく服用されていない場合には、その間違った服用の状況が把握できる。
【００５２】
次に、薬剤師は、このカレンダー台紙から空のＰＴＰシートを外し、一括してプラスチックごみとして廃棄し、またカレンダー台紙は可燃ごみとして廃棄する。一般に、空のＰＴＰシートはそのままくずかご等に廃棄され、可燃ごみに混入されてしまうので、このようにして回収することにより、分別回収ができる。
【００５３】
また、薬剤師は、ｓｔ８において、患者が正しく薬を服用したか、または正しく服用しなかった場合にはどのような服用状況であったかを医師に報告し、医師がその患者の状態を判断する。そして、必要な場合には、再度患者を診察し、または次の受診の際に必要な処置をする。
【００５４】
以上のようにして、患者は薬の服用が具体的に表示され、かつ個々の患者ごとに作成された服用カレンダーの指示に従って服用するので、誤用、服用忘れ、二重服用等が防止される。また、この薬の服用状況は薬剤師を介して医師に報告すなわちフィードバックされるので、厳密な服用管理ができる。
【００５５】
なお、上述の実施形態は一日６錠分を保持可能なカレンダー台紙を使用したが、一日分の錠数の少ない場合、例えば３錠以下の場合には、図１５に示すように、保持スリット部を２段に配置したカレンダー台紙を使用すれば、無駄がない。
【００５６】
なお、本発明は上記の実施形態には限定されない。上述の実施形態は、調剤薬局すなわち薬剤師を介して服用を管理する場合であるが、例えば、病院で入院患者の薬の服用を管理する場合には、看護師等がこの服用カレンダーを使用して入院患者の服用を管理してもよい。
【００５７】
また、患者自身が相当の注意力を有するか、または相当の注意力を有する者が患者を補助している場合には、患者自身または補助者が薬剤師等の指導の下にこの服用カレンダーを作成してもよい。
【００５８】
また、上記の実施形態では、カレンダーの白紙台紙は全く印刷されていないものを使用したが、場合によっては上述の共通表示、すなわち前述したような枠線４、このカレンダーの名称の表示１０、年の表示１１、薬局名の表示１３、薬の絵柄１４、スリット表示線７５等をあらかじめ印刷したカレンダー台紙を使用してもよい。
【００５９】
また、各保持スリット部に保持させる薬のＰＴＰシートの写真を各保持スリット部に印刷しておけば、薬の挿入間違いがより確実に防止される。この場合に、プリントするＰＴＰシートの写真は、本物のＰＴＰシートと間違えないように、色彩を薄くしたり、またはその上に重ねて「見本」等の文字を付しておいてもよい。
【図面の簡単な説明】
【００６０】
【図１】本発明に使用する服用カレンダーの第１の実施形態の平面図。
【図２】保持スリット部の部分の平面図。
【図３】ＰＴＰシートを挿入した状態の保持スリット部の平面図。
【図４】第１の実施形態の使用状態を示す平面図。
【図５】服用カレンダーの第２の実施形態の平面図。
【図６】ＰＴＰシートを挿入した状態の保持スリット部の平面図。
【図７】第２の実施形態の使用状態を示す平面図。
【図８】服用カレンダーの第３の実施形態の平面図。
【図９】服用カレンダーの第４の実施形態の保持スリット部の平面図。
【図１０】ＰＴＰシートを挿入した状態の保持スリット部の平面図。
【図１１】服用カレンダーの第５の実施形態の保持スリット部の平面図。
【図１２】服用カレンダーの第６の実施形態の保持スリット部の平面図。
【図１３】本発明の実施態様に使用するカレンダー白紙台紙の平面図。
【図１４】本発明の実施態様に使用するプリントされたカレンダー台紙の平面図。
【図１５】別のプリントされたカレンダー台紙の平面図。
【図１６】本発明の管理方法の実施形態の過程を示す図。
【符号の説明】
【００６１】
１  台紙
２  掛け孔
３  日時表示部
４  枠線
５  保持部
６ａ、６ｂ  保持スリット部
７  ＰＴＰシート
８  薄板状の部分
９  錠剤収容部
１０  名称の表示
１１  年の表示
１２  注意事項等の表示
１３  薬局名等の表示
１４  絵柄
２６ａ、２６ｂ  保持スリット部
２７  ＰＴＰシート
３３  日時表示部
４６ａ、４６ｂ  保持スリット部
５６ａ、５６ｂ、５６ｃ、５６ｄ  保持スリット部
６６ａ、６６ｂ  保持スリット部
７１  カレンダー白紙台紙
７２  患者の氏名の表示
７３  日付の表示
７４  薬剤名の表示
７５  服用時刻の表示
【図１】
2007282822.tif 000003
【図２】
2007282822.tif 000004
【図３】
2007282822.tif 000005
【図４】
2007282822.tif 000006
【図５】
2007282822.tif 000007
【図６】
2007282822.tif 000008
【図７】
2007282822.tif 000009
【図８】
2007282822.tif 000010
【図９】
2007282822.tif 000011
【図１０】
2007282822.tif 000012
【図１１】
2007282822.tif 000013
【図１２】
2007282822.tif 000014
【図１３】
2007282822.tif 000015
【図１４】
2007282822.tif 000016
【図１５】
2007282822.tif 000017
【図１６】
2007282822.tif 000018